(57)【要約】  【課題】  表示部の向きを可変できるとともに小型化を図ることのできる携帯電話機を提供する。  【解決手段】  情報を表示する表示パネル２１を前面に配した表示部２０と、操作キー３１を有してユーザ操作を行う操作部３０と、表示部２０の背面に重ねて配置して表示部を回転可能に支持する本体部１０とを備えた携帯電話機１において、第１、第２カム突起５１ａ、５１ｂを有して表示部２０と異なる回動中心で本体部１０に回動可能に支持されるレバー５１と、表示部２０と一体に回転する板カム４１に設けられるとともに第１カム突起５１ａに係合する第１カム溝４１ｄと、操作部３０に設けられるとともに第２カム突起５１ｂに係合する第２カム溝３０ａとを設ける。表示部２０を回転して向きを変えると第１カム突起５１ａと第１カム溝４１ｄとが係合してレバー５１が回動する。レバー５１の回動に伴って第２カム突起５１ｂと第２カム溝３０ａとが係合して操作部３０がスライド移動して本体部１０から突出する。また、表示部２０を回転して向きを元に戻すと、操作部３０が本体部１０内に収納される。【選択図】      図４
2006080713.tif 000002
【特許請求の範囲】
【請求項１】
情報を表示する表示パネルを前面に配した表示部と、
操作キーを有してユーザ操作を行う操作部と、
前記表示部の背面に重ねて配置され、前記表示パネルに平行な面内で前記表示部を回転可能に支持するとともに、前記操作部をスライドにより出し入れ可能に収納する本体部と、
を備えたことを特徴とする携帯電話機。
【請求項２】
前記表示部の回転と前記操作部のスライドとが連動することを特徴とする請求項１に記載の携帯電話機。
【請求項３】
第１、第２カム突起を有して前記表示部と異なる回動中心で前記本体部に回動可能に支持されるレバーと、前記表示部に設けられるとともに第１カム突起に係合して前記表示部の回転に伴い前記レバーを回動させる第１カム溝と、前記操作部に設けられるとともに第２カム突起に係合して前記レバーの回動に伴い前記操作部を前記本体部から出入させる第２カム溝とを備えたことを特徴とする請求項２に記載の携帯電話機。
【請求項４】
第１カム溝が形成されるとともに周面に複数の位置決め溝を凹設した前記表示部と一体の円形の板カムと、前記位置決め溝に嵌合して前記板カムの回転位置を位置決めする位置決めバネとを備えたことを特徴とする請求項３に記載の携帯電話機。
【請求項５】
第１カム溝が形成されるとともに周面に複数の係止溝を凹設した前記表示部と一体の円形の板カムと、前記表示部を回転方向に付勢する付勢バネと、前記係止溝と係合して前記表示部の回転を係止する係止爪と、ユーザ操作により前記係止溝と前記係止爪との係合を解除する係止解除部とを備えたことを特徴とする請求項３に記載の携帯電話機。
【請求項６】
前記表示部の回転位置を位置決めする位置決め手段と、前記操作部を前記本体部から突出する方向に付勢する付勢バネと、前記操作部に設けられる係止部と、前記係止部に係合して前記操作部の前記本体部からの突出を係止する被係止部と、ユーザ操作により前記係止部と前記被係止部との係合を解除する係止解除部とを備えたことを特徴とする請求項１に記載の携帯電話機。
【請求項７】
前記係止部と前記被係止部との係合時に前記表示部の回転を規制する規制手段を設けたことを特徴とする請求項６に記載の携帯電話機。
【請求項８】
前記規制手段は、前記操作部及び前記表示部の一方に設けられて前記操作部のスライド方向に延びる回転規制溝と、前記操作部及び前記表示部の他方に設けられて前記回転規制溝に係合する突起部とから成ることを特徴とする請求項７に記載の携帯電話機。
【請求項９】
前記本体部は前記操作部が出入する面に充電用ケーブルが接続される接続端子を有し、前記操作部を断面コ字型に形成して前記接続端子の周囲に配置したことを特徴とする請求項１〜請求項８のいずれかに記載の携帯電話機。
【請求項１０】
前記表示部の回動により露出して情報を表示する補助表示部を前記本体部に設けたことを特徴とする請求項１〜請求項９のいずれかに記載の携帯電話機。
【請求項１１】
前記表示部の回動により露出してユーザ操作を行う補助操作部を前記本体部に設けたことを特徴とする請求項１〜請求項９のいずれかに記載の携帯電話機。
【請求項１２】
前記表示部に送話用のマイクと受話用のスピーカとを設けたことを特徴とする請求項１〜請求項１１のいずれかに記載の携帯電話機。
【請求項１３】
前記表示部の回転位置に応じて前記表示パネルの表示画像を縦長と横長とに切り替え、前記表示パネルの長手方向の両外側にステレオスピーカを設けたことを特徴とする請求項１〜請求項１１のいずれかに記載の携帯電話機。
【請求項１４】
前記表示部の長手方向の両端に録音を行うステレオマイクを設けたことを特徴とする請求項１〜請求項１１のいずれかに記載の携帯電話機。
【請求項１５】
前記表示パネルの背面側に配されるとともに被写体を撮影するカメラを前記表示部の長手方向の両端に設けたことを特徴とする請求項１〜請求項１１のいずれかに記載の携帯電話機。
【請求項１６】
前記本体部の背面に設けられて被写体を撮影するカメラを備え、前記表示部の回転位置に応じて前記表示パネルに表示される被写体像を縦長と横長とに切り替えることを特徴とする請求項１〜請求項１１のいずれかに記載の携帯電話機。
【請求項１７】
前記表示部の背面側に配されるとともに被写体を照明する照明装置を前記表示部の長手方向の両端に設けたことを特徴とする請求項１６に記載の携帯電話機。
【発明の詳細な説明】
【技術分野】
【０００１】
本発明は、表示パネルを有する表示部の向きが可変の携帯電話機に関する。
【背景技術】
【０００２】
従来の携帯電話機は特許文献１に開示されている。この携帯電話機は操作キーが設けられた縦長の本体部の前面が表示部により覆われる。表示部は重ねられた面内で回転可能に本体部に取り付けられる。表示部を９０゜回転させると本体部の下方に操作キーが露出して操作可能になる。これにより、大画面を見ながら操作することができ、画面の視認性が向上するとともに長文等が見易くなり携帯電話機の利便性が向上する。
【特許文献１】特開２００３−３３８８６６号公報（第２頁−第４頁、第１図）
【発明の開示】
【発明が解決しようとする課題】
【０００３】
しかしながら、上記従来の携帯電話機によると、本体部には操作キーを設けるスペースに加えて表示部を軸支するためのスペースが必要となる。更に、本体部は表示部を回転した際に覆われる部分に操作キーを配置できない。このため、本体部が大型になり携帯電話機を小型にするのが困難な問題があった。
【０００４】
本発明は、表示部の向きを可変できるとともに小型化を図ることのできる携帯電話機を提供することを目的とする。
【課題を解決するための手段】
【０００５】
上記目的を達成するために本発明は、
情報を表示する表示パネルを前面に配した表示部と、
操作キーを有してユーザ操作を行う操作部と、
前記表示部の背面に重ねて配置され、前記表示パネルに平行な面内で前記表示部を回転可能に支持するとともに、前記操作部をスライドにより出し入れ可能に収納する本体部と、
を備えたことを特徴としている。
【０００６】
この構成によると、表示部は本体部に重なり、重なった面内で回転して向きが可変される。本体部内には操作部が収納され、操作部はスライド移動して本体部から突出して操作可能になる。
【０００７】
また本発明は、上記構成の携帯電話機において、前記表示部の回転と前記操作部のスライドとが連動することを特徴としている。この構成によると、表示部を本体部に略一致して重なった状態から回転すると操作部が本体部から突出する。
【０００８】
また本発明は、上記構成の携帯電話機において、第１、第２カム突起を有して前記表示部と異なる回動中心で前記本体部に回動可能に支持されるレバーと、前記表示部に設けられるとともに第１カム突起に係合して前記表示部の回転に伴い前記レバーを回動させる第１カム溝と、前記操作部に設けられるとともに第２カム突起に係合して前記レバーの回動に伴い前記操作部を前記本体部から出入させる第２カム溝とを備えたことを特徴としている。
【０００９】
この構成によると、表示部を回転して向きを変えると第１カム突起と第１カム溝とが係合してレバーが回動する。レバーの回動に伴って第２カム突起と第２カム溝とが係合して操作部が本体部から突出する。また、表示部を回転して向きを元に戻すと、操作部が本体部内に収納される。
【００１０】
また本発明は、上記構成の携帯電話機において、第１カム溝が形成されるとともに周面に複数の位置決め溝を凹設した前記表示部と一体の円形の板カムと、前記位置決め溝に嵌合して前記板カムの回転位置を位置決めする位置決めバネとを備えたことを特徴としている。
【００１１】
この構成によると、表示部には第１カム溝が形成された板カムが一体化され、板カムの周面の位置決め溝が例えば９０゜間隔で３箇所に設けられる。位置決めバネが位置決め溝に嵌合することにより、操作部を収納して表示部が本体部と同じ向きに重なった例えば縦長の位置、操作部が突出して表示部が縦長の本体部に対して横長に配置された位置、操作部が突出して表示部が本体部と同じ向きに重なった縦長の位置に位置決めされる。
【００１２】
また本発明は、上記構成の携帯電話機において、第１カム溝が形成されるとともに周面に複数の係止溝を凹設した前記表示部と一体の円形の板カムと、前記表示部を回転方向に付勢する付勢バネと、前記係止溝と係合して前記表示部の回転を係止する係止爪と、ユーザ操作により前記係止溝と前記係止爪との係合を解除する係止解除部とを備えたことを特徴としている。
【００１３】
この構成によると、表示部には第１カム溝が形成された板カムが一体化され、板カムの周面の係止溝が例えば９０゜間隔で３箇所に設けられる。表示部は付勢バネにより一の回転方向に付勢され、係止溝に係止爪が係合して表示部が位置決めされる。これにより、操作部を収納して表示部が本体部と同じ向きに重なった例えば縦長の位置に配される。ユーザにより係止解除部を操作すると、係止爪と係止溝の係合が解除して表示部が付勢バネの付勢力により回転する。これにより、隣接した係止溝に係止爪が係合し、操作部が突出して表示部が縦長の本体部に対して横長に配置された位置に配される。更に、ユーザにより係止解除部を操作すると表示部が回転して更に隣接した係止溝に係止爪が係合し、操作部が突出して表示部が本体部と同じ向きに重なった縦長の位置に位置決めされる。
【００１４】
また本発明は、上記構成の携帯電話機において、前記表示部の回転位置を位置決めする位置決め手段と、前記操作部を前記本体部から突出する方向に付勢する付勢バネと、前記操作部に設けられる係止部と、前記係止部に係合して前記操作部の前記本体部からの突出を係止する被係止部と、ユーザ操作により前記係止部と前記被係止部との係合を解除する係止解除部とを備えたことを特徴としている。
【００１５】
この構成によると、表示部は位置決め手段の位置決めにより所望の回転位置に配置される。係止部と被係止部の係合により本体部内に操作部を収納した状態が維持される。ユーザにより係止解除部を操作すると係止部と被係止部との係合が解除され、操作部は付勢バネの付勢力により本体部から突出する。
【００１６】
また本発明は、上記構成の携帯電話機において、前記係止部と前記被係止部との係合時に前記表示部の回転を規制する規制手段を設けたことを特徴としている。この構成によると、操作部が本体内に収納された状態では表示部が規制手段の規制により回転できない。
【００１７】
また本発明は、上記構成の携帯電話機において、前記規制手段は、前記操作部及び前記表示部の一方に設けられて前記操作部のスライド方向に延びる回転規制溝と、前記操作部及び前記表示部の他方に設けられて前記回転規制溝に係合する突起部とから成ることを特徴としている。この構成によると、回転規制溝に突起部が係合して表示部の回転が規制される。操作部がスライド移動して本体部から突出すると、回転規制溝から突起部が退避して表示部が回転可能になる。
【００１８】
また本発明は、上記構成の携帯電話機において、前記本体部は前記操作部が出入する面に充電用ケーブルが接続される接続端子を有し、前記操作部を断面コ字型に形成して前記接続端子の周囲に配置したことを特徴としている。この構成によると、充電用ケーブルを本体部に接続した状態で操作部がスライド移動される。
【００１９】
また本発明は、上記構成の携帯電話機において、前記表示部の回動により露出して情報を表示する補助表示部を前記本体部に設けたことを特徴としている。この構成によると、表示部が本体部上に略一致して重なった状態から例えば９０゜回転すると、本体部に設けた補助表示部が視認可能になる。
【００２０】
また本発明は、上記構成の携帯電話機において、前記表示部の回動により露出してユーザ操作を行う補助操作部を前記本体部に設けたことを特徴としている。この構成によると、表示部が本体部上に略一致して重なった状態から例えば９０゜回転すると、本体部に設けた補助操作部が操作可能になる。
【００２１】
また本発明は、上記構成の携帯電話機において、前記表示部に送話用のマイクと受話用のスピーカとを設けたことを特徴としている。この構成によると、本体部に操作部を収納した状態で通話できる。
【００２２】
また本発明は、上記構成の携帯電話機において、前記表示部の回転位置に応じて前記表示パネルの表示画像を縦長と横長とに切り替え、前記表示パネルの長手方向の両外側にステレオスピーカを設けたことを特徴としている。この構成によると、例えば、縦長の本体部上に表示部が略一致して重なっている時に表示パネルの表示画像が縦長に表示される。表示部を９０°回転して本体部に対して直交する方向に延びて表示パネルが配置されると表示画像が横長に表示される。この時、左右方向に長い表示パネルの長手方向の両外側にステレオスピーカが配置され、離れた２箇所から音声が出力される。
【００２３】
また本発明は、上記構成の携帯電話機において、前記表示部の長手方向の両端に録音を行うステレオマイクを設けたことを特徴としている。この構成によると、離れた２箇所で集音することができる。
【００２４】
また本発明は、上記構成の携帯電話機において、前記表示パネルの背面側に配されるとともに被写体を撮影するカメラを前記表示部の長手方向の両端に設けたことを特徴としている。この構成によると、離れた２箇所から被写体を撮影して立体画像を得ることができる。
【００２５】
また本発明は、上記構成の携帯電話機において、前記本体部の背面に設けられて被写体を撮影するカメラを備え、前記表示部の回転位置に応じて前記表示パネルに表示される被写体像を縦長と横長とに切り替えることを特徴としている。この構成によると、表示部が本体部に略一致して重なった時に例えば被写体像が縦長に表示され、表示パネルを縦長に配置して本体部の背面のカメラで撮影される。表示部を例えば９０゜回転すると被写体像が横長に表示され、表示パネルを横長に配置してカメラで撮影される。
【００２６】
また本発明は、上記構成の携帯電話機において、前記表示部の背面側に配されるとともに被写体を照明する照明装置を前記表示部の長手方向の両端に設けたことを特徴としている。この構成によると、表示部を横長に配置して離れた２箇所から被写体を照明することができる。
【発明の効果】
【００２７】
本発明によると、本体部に重なる表示部が表示パネルに平行な面内で回転可能になっており、操作部が本体部に出し入れできるので、表示部の表示パネルを縦長に配置して電話操作を行うとともに、横長に配置してインターネットを介したビデオ映像等を大画面で視聴することができる。また、操作部を本体部に収納するため携帯電話機の小型化を図り、携帯性が向上する。
【００２８】
また本発明によると、表示部の回転と操作部のスライドとが連動するので、別々に設置操作を行う必要がなく携帯電話機の利便性が向上する。
【００２９】
また本発明によると、第１、第２カム突起を有して表示部と異なる回動中心で本体部に回動可能に支持されるレバーと、表示部に設けられるとともに第１カム突起に係合して表示部の回転に伴いレバーを回動させる第１カム溝と、操作部に設けられるとともに第２カム突起に係合してレバーの回動に伴い操作部を本体部から出入させる第２カム溝とを備えたので、表示部の回転と操作部のスライドとが連動する携帯電話機を容易に実現することができる。
【００３０】
また本発明によると、第１カム溝が形成されるとともに周面に複数の位置決め溝を凹設した表示部と一体の円形の板カムと、位置決め溝に嵌合して板カムの回転位置を位置決めする位置決めバネとを備えたので、表示部の回転と操作部のスライドとが連動して表示部を所定の回転位置に配置できる携帯電話機をコンパクトに実現することができる。
【００３１】
また本発明によると、第１カム溝が形成されるとともに周面に複数の係止溝を凹設した表示部と一体の円形の板カムと、表示部を回転方向に付勢する付勢バネと、係止溝と係合して表示部の回転を係止する係止爪と、ユーザ操作により係止溝と前記係止爪との係合を解除する係止解除部とを備えたので、表示部の回転と操作部のスライドとが連動して表示部を所定の回転位置に配置できる携帯電話機をコンパクトに実現することができる。
【００３２】
また本発明によると、表示部の回転位置を位置決めする位置決め手段と、操作部を本体部から突出する方向に付勢する付勢バネと、操作部に設けた係止部と、係止部に係合して操作部の本体部からの突出を係止する被係止部と、ユーザ操作により係止部と被係止部との係合を解除する係止解除部とを備えたので、操作部がスライドにより本体部から出し入れ可能な携帯電話機を容易に実現することができる。
【００３３】
また本発明によると、係止部と被係止部との係合時に表示部の回転を規制する規制手段を設けたので、携行時に表示部が回転することを防止することができる。
【００３４】
また本発明によると、規制手段は操作部のスライド方向に延びる回転規制溝と、回転規制溝に係合する突起部とから成るので、表示部を回転規制する規制手段を容易に実現することができる。
【００３５】
また本発明によると、操作部を断面コ字型に形成して接続端子の周囲に配置したので、接続端子を本体部に接続したまま操作部をスライド移動させることができる。従って、携帯電話機の利便性が向上する。
【００３６】
また本発明によると、表示部の回動により露出して情報を表示する補助表示部を本体部に設けたので、表示部を回動してビデオ鑑賞等を行っている際に補助表示部で着信等の情報を容易に視認することができる。従って、携帯電話機の利便性が向上する。
【００３７】
また本発明によると、表示部の回動により露出してユーザ操作を行う補助操作部を本体部に設けたので、表示部を回動してビデオ鑑賞等を行う際に補助操作部によりビデオ操作を行うことができる。従って、操作がわかりやすく利便性が向上するとともに操作部の操作キーを減らして携帯電話機の小型化を図ることができる。
【００３８】
また本発明によると、表示部にマイクとスピーカとを設けたので、操作部を収納したまま電話を受信して通話することができる。従って、携帯電話機の利便性が向上する。
【００３９】
また本発明によると、表示パネルの長手方向の両外側にステレオスピーカを設けたので、表示パネルを横長にして横長の表示画像を表示することにより、臨場感のある音声でビデオ映像等を視聴することができる。
【００４０】
また本発明によると、表示部の長手方向の両端に録音を行うステレオマイクを設けたので、ステレオマイクを離して配置して臨場感のあるステレオ録音を行うことができる。
【００４１】
また本発明によると、被写体を撮影するカメラを表示部の長手方向の両端に設けたので、立体画像を容易に撮影することができる。
【００４２】
また本発明によると、本体部の背面にカメラを設けて表示部の回転位置に応じて被写体像を縦長と横長とに切り替えるので、カメラアングルに拘わらず操作部を把持して容易に撮影することができ、携帯電話機の操作性が向上する。
【００４３】
また本発明によると、被写体を照明する照明装置を表示部の長手方向の両端に設けたので、離れた２箇所から広い範囲で照明することができ、撮影画像の画質を向上することができる。
【発明を実施するための最良の形態】
【００４４】
以下に本発明の実施形態を図面を参照して説明する。図１は第１実施形態の携帯電話機を示す斜視図である。携電話機１は本体部１０、表示部２０及び操作部３０を有している。表示部２０は画像を表示する長方形の表示パネル２１を有し、表示パネル２１の周囲に沿った枠部２０ａが設けられることにより平面視略長方形になっている。表示パネル２１の長手方向の下方には通話を受話するスピーカ２２が設けられている。
【００４５】
本体部１０はバッテリや制御基板（いずれも不図示）を内装し、表示部２０に略一致して重なるように平面視略長方形になっている。本体部１０により表示部２０は表示パネル２１を前面に向けた状態で背面側を支持され、表示パネル２１に平行な面内で回転可能になっている。操作部３０はユーザ操作を行う操作キー３１（図５参照）が設けられ、本体部１０内に収納されている。
【００４６】
図２は本体部１０の内部構成を示す正面図である。本体部１０はハウジング１１により覆われ、ハウジング１１の下方には操作部３０が出入される開口部１１ａが形成される。本体部１０には側方の端部に配された支軸５２で軸支されるレバー５１が設けられている。レバー５１は本体部１０の幅に略等しい長さに形成され、略中央部及び支軸５２と反対側の端部に第１、第２カム突起５１ａ、５１ｂが突設されている。
【００４７】
操作部３０の下部３０ｂは開口部１１ａと略同じ幅に形成され、上部３０ｃが開口部１１ａの幅よりも広くなっている。下部３０ｂが開口部１１ａに摺動するとともに上部３０ｃがハウジング１１ａの内壁１１ｂに摺動して操作部３０がスライド案内されるようになっている。また、上部３０ｃが開口部１１ａの周囲と当接して操作部３０の脱落が防止されている。
【００４８】
表示部２０（図１参照）には円形の板カム４１が一体に設けられている。板カム４１は本体部１０の略中央に配された軸部２５により回転自在に軸支されている。板カム４１にはフレキシブルケーブル２４の一端を接続するコネクタ２３が設けられ、フレキシブルケーブル２４の他端は本体部１０に設けたコネクタ１５に接続されている。これにより、表示部２０と本体部１０とが電気的に接続される。
【００４９】
板カム４１の周面には９０゜間隔で３箇所に位置決め溝４１ａ、４１ｂ、４１ｃが設けられている。本体部１０には、湾曲した先端を有した板バネから成る位置決めバネ５３が設けられている。位置決めバネ５３の先端が位置決め溝４１ａ、４１ｂ、４１ｃに嵌合することにより、板カム４１の回転位置が位置決めされる。
【００５０】
板カム４１には第１カム突起５１ａに係合する第１カム溝４１ｄが凹設されている。操作部３０の上部３０ｃの一端には、本体部１０の幅方向に延びて第２カム突起５１ｂに係合する第２カム溝３０ａが凹設されている。
【００５１】
同図に示すように、位置決めバネ５３が位置決め溝４１ａに嵌合した位置に板カム４１が配置されると、第１、第２カム突起５１ａ、５１ｂはそれぞれ第１、第２カム溝４１ｄ、３０ａの一端に配置される。この時、表示部２０が本体部１０と略一致した状態で重なっており、操作部３０が本体部１０内に収納された第１の状態になっている（図１参照）。これにより、携帯電話機１がコンパクトな状態で携行可能になっている。
【００５２】
板カム４１とともに表示部２０を図中、時計回りに回転すると、位置決めバネ５３が位置決め溝４１ａから退避して板カム４１の周面と摺動し、第１カム溝４１ｄに第１カム突起５１ａが案内される。これにより、レバー５１は回動して図中、右下がりに傾斜する。レバー５１の回動に伴って第２カム突起５１ｂが第２カム溝３０ａと摺動し、操作部３０が下方に押し出される。
【００５３】
そして、図３に示すように、位置決めバネ５３が位置決め溝４１ｂと嵌合して板カム４１が位置決めされる。この時、第１カム突起５１ａは第１カム溝４１ｄの中間に配され、第２カム突起５１ｂが第２カム溝３０ａの他端に配される。これにより、縦長に配置される本体部１０に対して表示部２０が横長に配置されるとともに、操作部３０が本体部１０から突出した第２の状態になっている。
【００５４】
図４は第２の状態の携帯電話機１を示す斜視図である。縦長に配される本体部１０の下方から操作部３０が突出し、操作部３０に設けられた操作キー３１が操作可能になる。また、操作キー３１の下方に設けられた送話用のマイク３２と表示部２０に設けられた受話用のスピーカ２２とによって本体部１０または操作部３０を把持して通話が可能になっている。更に、表示部２０が横長に配され、表示パネル２１の表示画像は操作部３０側を下にした横長に表示される。このため、インターネットを介して受信したビデオ映像、メモリ（不図示）に格納したビデオ映像やナビゲーション画像等を横長の大画面で視聴することができる。
【００５５】
図３において、第２の状態から板カム４１とともに表示部２０を図中、時計回りに回転すると、位置決めバネ５３が位置決め溝４１ｂから退避して板カム４１の周面と摺動し、第１カム溝４１ｄに第１カム突起５１ａが案内される。この時、第１カム溝４１ｄは第２の状態以降で軸部２５を中心に同一半径で形成されている。このため、レバー５１及び操作部３０は第２の状態と同じ位置を維持する。
【００５６】
そして、図５に示すように、位置決めバネ５３が位置決め溝４１ｃと嵌合して板カム４１が位置決めされる。この時、第１カム突起５１ａは第１カム溝４１ｄの端部に配される。これにより、縦長に配される本体部１０に表示部２０が略一致して重なるとともに、操作部３０が本体部１０から突出した第３の状態になっている。尚、第１カム溝４１ｄの両端に第１カム突起５１ａが当接して表示部２０の回転角度が規制されている。
【００５７】
図６は第３の状態の携帯電話機１を示す斜視図である。表示部２０は第１の状態に対して１８０゜回転しており、スピーカ２２が上方に配される。これにより、本体部１０または操作部３０を把持して通話が可能になっている。また、縦長に配置された表示パネル２１には表示画像が操作部３０側を下にした縦長に表示される。これにより、本体部１０と略一致する大きさの表示部２０に設けられた大画面の表示パネル２１による情報確認や電子メールの確認等を行うことができる。尚、第３の状態から表示部２０を上記と逆方向に回転することによって携帯電話機１を第２の状態及び第１の状態に移行させることができる。
【００５８】
図７は携帯電話機１の背面斜視図を示している。本体部１０の一側面にはヘッドホン７２を接続する接続端子１４が設けられる。接続端子１４は３．５φミニジャック（メス）から成り、３．５φミニジャック（オス）を有したヘッドホン７２を接続可能になっている。
【００５９】
接続端子１４の中心から本体部１０の表示部２０側の面まで距離Ｌはヘッドホン７２のプラグ７２ａの半径（Ｄ／２）よりも大きく形成されている。これにより、ヘッドホン７２を接続したまま表示部２０を回転してもプラグ７２ａと表示部２０が干渉しないため、携帯電話機１の利便性の低下を防止することができる。
【００６０】
操作部３０が出入する本体部１０の下面にはバッテリ（不図示）を充電するための充電用ケーブル７１を接続する接続端子１６が設けられている。図８の底面図に示すように、操作部３０は断面コ字型に形成され、接続端子１６の周囲に配置されている。これにより、充電用ケーブル７１を接続端子１６に接続した状態で操作部３０を本体部１０から出入しても充電用ケーブル７１と操作部３０とが干渉しない。従って、携帯電話機１の利便性の低下を更に防止することができる。
【００６１】
本実施形態によると、本体部１０に重なる表示部２０が表示パネル２１に平行な面内で回転可能になっており、操作部３０が本体部１０に出し入れできるので、表示部２０の表示パネル２１を縦長に配置して電話操作を行うとともに、横長に配置してインターネットを介したビデオ映像等を大画面で視聴することができる。また、操作部３０を本体部１０に収納するため携帯電話機１の小型化を図り、携帯性が向上する。
【００６２】
また、表示部２０の回転と操作部３０のスライドとがレバー５１を介して連動するので、別々に設置操作を行う必要がなく携帯電話機１の利便性が向上する。
【００６３】
次に、図９は第２実施形態の携帯電話機１の本体部の内部を示す正面図である。説明の便宜上、前述の図１〜図８に示す第１実施形態と同一の部分は同一の符号を付している。本実施形態は第１実施形態と同様に表示部２０及び操作部３０が動作し、表示部２０を回転させる機構が異なっている。
【００６４】
第１実施形態と同様に、本体部１０はハウジング１１により覆われ、ハウジング１１の下方には操作部３０が出入される開口部１１ａが形成される。本体部１０には側方の端部に配された支軸５２で軸支されるレバー５１が設けられている。レバー５１は本体部１０の幅に略等しい長さに形成され、略中央部及び支軸５２と反対側の端部に第１、第２カム突起５１ａ、５１ｂが突設されている。
【００６５】
操作部３０の下部３０ｂは開口部１１ａと略同じ幅に形成され、上部３０ｃが開口部１１ａの幅よりも広くなっている。下部３０ｂが開口部１１ａに摺動するとともに上部３０ｃがハウジング１１ａの内壁１１ｂに摺動して操作部３０がスライド案内されるようになっている。また、上部３０ｃが開口部１１ａの周囲と当接して操作部３０の脱落が防止されている。
【００６６】
表示部２０（図１０参照）には円形の板カム４１が一体に設けられている。板カム４１は本体部１０の略中央に配された軸部２５により回転自在に軸支されている。板カム４１にはストッパ４１ｅが突設され、一端６３ａが本体部１０に固定された捻りバネから成る付勢バネ６３の他端６３ｂがストッパ４１ｅで係止される。これにより、板カム４１は図中、時計回りに付勢されている。
【００６７】
板カム４１にはフレキシブルケーブル２４の一端を接続するコネクタ２３が設けられ、フレキシブルケーブル２４の他端は本体部１０に設けたコネクタ１５に接続されている。これにより、表示部２０と本体部１０とが電気的に接続される。
【００６８】
板カム４１の周面には９０゜間隔で３箇所に係止溝４１ｓ、４１ｔ、４１ｕが設けられている。本体部１０には係止溝４１ｓ、４１ｔ、４１ｕに係合する係止爪６１ａを有したロックレバー６１が支軸６２で軸支されている。係止爪６１ａが係止溝４１ｓ、４１ｔ、４１ｕに係合することにより、板カム４１の回転が係止され、回転位置が位置決めされる。
【００６９】
ロックレバー６１はＬ字型に形成され、支軸６２に対して係止爪６１ａと反対側には、本体部１０から突出してユーザが押圧可能な解除ボタン６１ｂ（係止解除部）が設けられている。解除ボタン６１ｂを押圧することによってロックレバー６１が回動して係止爪６１ａと係止溝４１ｓ、４１ｔ、４１ｕとの係合を解除できるようになっている。解除ボタン６１ｂを係止爪６１ａと別部材により形成して、係止爪６１ａと係止溝４１ｓ、４１ｔ、４１ｕとの係合を解除してもよい。
【００７０】
板カム４１には第１カム突起５１ａに係合する第１カム溝４１ｄが凹設されている。操作部３０の上部３０ｃの一端には、本体部１０の幅方向に延びて第２カム突起５１ｂに係合する第２カム溝３０ａが凹設されている。
【００７１】
同図に示すように、係止爪６１ａが係止溝４１ｓに係合した位置に板カム４１が配置されると、第１、第２カム突起５１ａ、５１ｂはそれぞれ第１、第２カム溝４１ｄ、３０ａの一端に配置される。この時、表示部３０が本体部１０と略一致した状態で重なっており、操作部３０が本体部１０内に収納された第１の状態になっている（図１参照）。これにより、携帯電話機１がコンパクトな状態で携行可能になっている。
【００７２】
解除ボタン６１ｂを押圧して離すと、係止爪６１ａと係止溝４１ｓの係合が解除され、係止爪６１ａが板カム４１の周面と摺動しながら付勢バネ６３の付勢力により板カム４１とともに表示部２０が図中、時計回りに回転する。これにより、第１カム溝４１ｄに第１カム突起５１ａが案内され、レバー５１は回動して図中、右下がりに傾斜する。レバー５１の回動に伴って第２カム突起５１ｂが第２カム溝３０ａと摺動し、操作部３０が下方に押し出される。
【００７３】
そして、図１０に示すように、係止爪６１ａが係止溝４１ｔと係合して板カム４１が位置決めされる。この時、第１カム突起５１ａは第１カム溝４１ｄの中間に配され、第２カム突起５１ｂが第２カム溝３０ａの他端に配される。これにより、縦長に配される本体部１０に対して表示部２０が横長に配されるとともに、操作部３０が本体部１０から突出した第２の状態になっている（図４参照）。
【００７４】
更に、解除ボタン６１ｂを押圧して離すと、係止爪６１ａと係止溝４１ｓの係合が解除される。これにより、付勢バネ６３の付勢力によって第２の状態から表示部２０が板カム４１とともに図中、時計回りに回転する。第１カム溝４１ｄは第２の状態以降で軸部２５を中心に同一半径で形成されているため、レバー５１及び操作部３０は第２の状態と同じ位置を維持する。
【００７５】
そして、係止爪６１ａが係止溝４１ｕと係合して板カム４１が位置決めされる。この時、第１カム突起５１ａは第１カム溝４１ｄの端部に配される。これにより、前述の図６に示すように、縦長に配される本体部１０に表示部２０が略一致して重なるとともに、操作部３０が本体部１０から突出した第３の状態になっている。また、解除ボタン６１ｂを押圧しながら表示部２０を上記と逆方向に回転することにより、携帯電話機１は第２の状態及び第１の状態に移行する。
【００７６】
本実施形態によると、第１実施形態と同様に、本体部１０に重なる表示部２０が表示パネル２１に平行な面内で回転可能になっており、操作部３０が本体部１０に出し入れされるので、表示部２０の表示パネル２１を縦長に配置して電話操作を行うとともに、横長に配置してインターネットを介したビデオ映像等を大画面で視聴することができる。また、操作部３０を本体部１０に収納するため携帯電話機１の小型化を図り、携帯性が向上する。
【００７７】
また、表示部２０の回転と操作部３０のスライドとがレバー５１を介して連動するので、別々に設置操作を行う必要がなく携帯電話機１の利便性が向上する。更に、ロックレバー６１を設けることにより、解除ボタン６１ｂを操作するだけで表示部２０を回転させることができる。従って、携帯電話機１の利便性がより向上する。
【００７８】
次に、図１１は第３実施形態の携帯電話機１の本体部の内部を示す正面図である。説明の便宜上、前述の図１〜図８に示す第１実施形態と同一の部分は同一の符号を付している。本実施形態は第１実施形態と同様に表示部２０が回転するとともに操作部３０がスライド移動し、表示部２０及び操作部３０の動作機構が第１実施形態と異なっている。
【００７９】
本体部１０はハウジング１１により覆われ、ハウジング１１の下方には操作部３０が出入される開口部１１ａが形成される。操作部３０の下部３０ｂは開口部１１ａと略同じ幅に形成され、上部３０ｃが開口部１１ａの幅よりも広くなっている。下部３０ｂが開口部１１ａに摺動するとともに上部３０ｃがハウジング１１ａの内壁１１ｂに摺動して操作部３０がスライド案内されるようになっている。また、上部３０ｃが開口部１１ａの周囲と当接して操作部３０の脱落が防止されている。
【００８０】
操作部３０の一端には上方に延びるガイド部３５が設けられる。ガイド部３５には上下に延びる孔部３５ｂが形成されている。孔部３５ｂには、一端がハウジング１１の天面に当接する圧縮バネから成る付勢バネ３４が挿入されている。これにより、操作部３０は本体部１０の開口部１１ａから突出する方向に付勢されている。付勢バネ３４を引張りバネにより構成してもよい。
【００８１】
ガイド部３５の側面には突起から成る被係止部３５ａが突設される。本体部１０にはロックレバー３３が支軸３３ａで軸支されている。ロックレバー３３には被係止部３５ａに係合する突起から成る係止部３３ｂが設けられている。係止部３３ｂが被係止部３５ａに係合することにより、操作部３０が本体部１０内に収納された状態が維持される。係止部３３ｂ及び被係止部３５ａが突起から成っているが、一方を溝にしてもよい。
【００８２】
ロックレバー６１の支軸３３ａに対して係止部３３ｂと反対側には、本体部１０から突出してユーザが押圧可能な解除ボタン３３ｃ（係止解除部）が設けられている。解除ボタン３３ｃを押圧することによってロックレバー３３が回動して係止部３３ｂと被係止部３５ａとの係合を解除できるようになっている。解除ボタン３３ｃを係止部３３ｂと別部材により形成して、係止部３３ｂと被係止部３５ａとの係合を解除してもよい。
【００８３】
表示部２０（図１２参照）には円形の板カム４１が一体に設けられている。板カム４１は本体部１０の略中央に配された軸部２５により回転自在に軸支されている。板カム４１にはフレキシブルケーブル２４の一端を接続するコネクタ２３が設けられ、フレキシブルケーブル２４の他端は本体部１０に設けたコネクタ１５に接続されている。これにより、表示部２０と本体部１０とが電気的に接続される。
【００８４】
板カム４１の周面には９０゜間隔で３箇所に位置決め溝４１ａ、４１ｂ、４１ｃが設けられている。本体部１０には湾曲した先端が位置決め溝４１ａ、４１ｂ、４１ｃに嵌合する板バネからなる位置決めバネ５３が設けられている。位置決めバネ５３が位置決め溝４１ａ、４１ｂ、４１ｃに嵌合することにより、板カム４１の回転位置が位置決めされる。従って、位置決めバネ５３及び位置決め溝４１ａ、４１ｂ、４１ｃにより板カム４１の回転位置を位置決めする位置決め手段が構成されている。
【００８５】
また、板カム４１には、位置決めバネ５３が位置決め溝４１ａに嵌合した状態の時に操作部３０のスライド方向に延びる回転規制溝４１ｆが形成されている。操作部３０には回転規制溝４１ｆに係合する突起部３０ｄが設けられる。回転規制溝４１ｆに突起部３０ｄが係合すると板カム４１が係止され、表示部２０は回転することができない。従って、回転規制溝４１ｆ及び突起部３０ｄにより表示部２０の回転を規制する規制手段が構成されている。回転規制溝４１ｆを操作部３０に設けて突起部３０ｄを表示部２０に設けてもよい。
【００８６】
同図に示すように、位置決めバネ５３が位置決め溝４１ａに嵌合した位置に板カム４１が配置され、係合部３３ｂが係合爪３５ａに係合する。この時、表示部３０が本体部１０と略一致した状態で重なっており、操作部３０が本体部１０内に収納された第１の状態になっている（図１参照）。これにより、携帯電話機１がコンパクトな状態で携行可能になっている。
【００８７】
解除ボタン３３ｃを押圧すると、係止部３３ｂと被係止部３５ａとの係合が解除され、付勢バネ３４の付勢力により操作部３０が下方に押し出される。これにより、回転規制溝４１ｆから突起部３０ｄが退避し、表示部２０が回転可能になる。板カム４１とともに表示部２０を回転すると、図１２に示すように、位置決めバネ５３が位置決め溝４１ｃと嵌合して板カム４１が位置決めされる。これにより、縦長に配される本体部１０に対して表示部２０が横長に配されるとともに、操作部３０が本体部１０から突出した第２の状態になる（図４参照）。
【００８８】
更に、表示部２０を回転すると、位置決めバネ５３が位置決め溝４１ｃと嵌合して板カム４１が位置決めされる。これにより、前述の図６に示すように、縦長に配される本体部１０に表示部２０が略一致して重なるとともに、操作部３０が本体部１０から突出した第３の状態になっている。
【００８９】
本実施形態によると、第１実施形態と同様に、本体部１０に重なる表示部２０が表示パネル２１に平行な面内で回転可能になっており、操作部３０が本体部１０に出し入れできるので、表示部２０の表示パネル２１を縦長に配置して電話操作を行うとともに、横長に配置してインターネットを介したビデオ映像等を大画面で視聴することができる。また、操作部３０を本体部１０に収納するため携帯電話機１の小型化を図り、携帯性が向上する。
【００９０】
尚、第１の状態から操作部３０を本体部１０から突出し、表示部２０を回転しない状態の時に電話操作できるようにしてもよい。これにより、第３の状態に移行させる必要がなく、表示部２０の回転操作を省くことができる。
【００９１】
次に、図１３は第４実施形態の携帯電話機１を示す背面斜視図である。説明の便宜上、前述の図１〜図８に示す第１実施形態と同一の部分は同一の符号を付している。本実施形態は本体部１０の上部に補助表示部１２が設けられている。その他の部分は第１実施形態と同様である。
【００９２】
補助表示部１２は液晶パネル等から成り、第２の状態で表示部２０を横長に配置した際に露出する。補助表示部１２には着信の相手先番号やバッテリ残量等の情報を表示する。これにより、第２の状態でビデオ鑑賞等を行っている際に表示パネル２１の表示範囲を狭めることなく相手先番号やバッテリ残量等の情報を使用者が容易に視認することができる。従って、携帯電話機１の利便性が向上する。尚、第２、第３実施形態の携帯電話機についても同様に構成してもよい。
【００９３】
次に、図１４は第５実施形態の携帯電話機１を示す斜視図である。説明の便宜上、前述の図１〜図８に示す第１実施形態と同一の部分は同一の符号を付している。本実施形態は本体部１０の下部に補助操作部１３が設けられている。その他の部分は第１実施形態と同様である。
【００９４】
補助操作部１３は操作キーから成り、第２の状態で表示部２０を横長に配置した際に露出する。補助操作部１３にはビデオ操作やナビゲーション操作等の機能が割り当てられる。これにより、第２の状態でビデオ映像やナビゲーション画面を表示パネル２１に表示した際に、表示画面に関連した所望の操作を補助操作部１３により行うことができる。
【００９５】
従って、操作がわかりやすく携帯電話機１の利便性が向上するとともに操作部３０の操作キー３１を減らして携帯電話機１の小型化を図ることができる。尚、第２、第３実施形態の携帯電話機についても同様に構成してもよい。
【００９６】
次に、図１５は第６実施形態の携帯電話機１を示す斜視図である。説明の便宜上、前述の図１〜図８に示す第１実施形態と同一の部分は同一の符号を付している。本実施形態は表示部２０に送話用のマイク３２が設けられている。その他の部分は第１実施形態と同様である。
【００９７】
スピーカ２２とマイク３２とは表示パネル２１を挟んで表示部２０の長手方向の両端に配される。これにより、第１の状態で操作部３０を本体部１０に収納したまま電話を受信して通話することができ、携帯電話機１の利便性が向上する。尚、第２、第３実施形態の携帯電話機についても同様に構成してもよい。
【００９８】
次に、図１７は第７実施形態の携帯電話機１を示す斜視図である。説明の便宜上、前述の図１〜図８に示す第１実施形態と同一の部分は同一の符号を付している。本実施形態は表示部２０にステレオスピーカ２６が設けられている。その他の部分は第１実施形態と同様である。
【００９９】
ステレオスピーカ２６は表示パネル２１の長手方向の両外側に設けられる。第２の状態で表示パネル２１を横長に配置し、２つのステレオスピーカ２６により臨場感のある音声でビデオ映像等を視聴することができる。また、第３の状態の時はステレオスピーカ２６を電話の受話用のスピーカとして使用することができる。尚、第２、第３実施形態の携帯電話機についても同様に構成してもよい。
【０１００】
次に、図１７は第８実施形態の携帯電話機１を示す背面斜視図である。説明の便宜上、前述の図１〜図８に示す第１実施形態と同一の部分は同一の符号を付している。本実施形態は表示部２０の背面にステレオマイク２７が設けられている。その他の部分は第１実施形態と同様である。
【０１０１】
ステレオマイク２７は表示部２０の長手方向の両端に設けられ、第２の状態で表示部２０を横長に配置した際に離れた２箇所で集音してメモリ（不図示）等に録音することができる。これにより、臨場感のあるステレオ録音を行うことができる。ステレオマイク２７を表示部２０の前面に設けてもよい。尚、第２、第３実施形態の携帯電話機についても同様に構成してもよい。
【０１０２】
次に、図１８は第９実施形態の携帯電話機１を示す斜視図である。説明の便宜上、前述の図１〜図８に示す第１実施形態と同一の部分は同一の符号を付している。本実施形態は表示部２０の背面に２つの撮影用のカメラ２８が設けられている。その他の部分は第１実施形態と同様である。
【０１０３】
カメラ２８は表示部２０の長手方向の両端に設けられ、第２の状態で表示部２０を横長に配置した際に露出する。２つのカメラ２８により撮影された被写体の画像データは本体部１０内に設けられた画像処理部（不図示）で画像処理され、表示パネル２１に立体画像が表示される。従って、立体画像を容易に撮影することができる。尚、第２、第３実施形態の携帯電話機についても同様に構成してもよい。
【０１０４】
次に、図１９は第１０実施形態の携帯電話機１を示す斜視図である。説明の便宜上、前述の図１〜図８に示す第１実施形態と同一の部分は同一の符号を付している。本実施形態は本体部１０の背面に撮影用のカメラ２８が設けられ、表示部２０の背面に２つの照明装置２９が設けられている。その他の部分は第１実施形態と同様である。
【０１０５】
カメラ２８は本体部１０の背面上部に設けられ、第２の状態または第３の状態で表示パネル２１に表示した被写体像を確認して被写体を撮影することができる。第２の状態で表示パネル２１を横長に配した際には被写体像が横長に表示される。第３の状態で表示パネル２１を縦長に配した際には被写体像が縦長に表示される。これにより、カメラアングルに拘わらず操作部３０を把持して容易に撮影することができ、携帯電話機１の操作性が向上する。
【０１０６】
照明装置２９は表示部２０の長手方向の両端に設けられ、表示部２０を横長に配置した際に露出する。離れた２箇所の照明装置２９により被写体を照明することにより、広範囲な照明が可能になる。従って、撮影画像の画質を向上することができる。尚、第２、第３実施形態の携帯電話機についても同様に構成してもよい。
【産業上の利用可能性】
【０１０７】
本発明は、情報を表示する表示部とユーザ操作を行う操作部を有した携帯電話機に利用することができる。
【図面の簡単な説明】
【０１０８】
【図１】本発明の第１実施形態の携帯電話機の第１の状態を示す斜視図
【図２】本発明の第１実施形態の携帯電話機の第１の状態の内部構成を示す正面図
【図３】本発明の第１実施形態の携帯電話機の第２の状態の内部構成を示す正面図
【図４】本発明の第１実施形態の携帯電話機の第２の状態を示す斜視図
【図５】本発明の第１実施形態の携帯電話機の第３の状態の内部構成を示す正面図
【図６】本発明の第１実施形態の携帯電話機の第３の状態を示す斜視図
【図７】本発明の第１実施形態の携帯電話機の背面斜視図
【図８】本発明の第１実施形態の携帯電話機の本体部の底面図
【図９】本発明の第２実施形態の携帯電話機の第１の状態の内部構成を示す正面図
【図１０】本発明の第２実施形態の携帯電話機の第２の状態の内部構成を示す正面図
【図１１】本発明の第３実施形態の携帯電話機の第１の状態の内部構成を示す正面図
【図１２】本発明の第３実施形態の携帯電話機の第２の状態の内部構成を示す正面図
【図１３】本発明の第４実施形態の携帯電話機を示す斜視図
【図１４】本発明の第５実施形態の携帯電話機を示す斜視図
【図１５】本発明の第６実施形態の携帯電話機を示す斜視図
【図１６】本発明の第７実施形態の携帯電話機を示す斜視図
【図１７】本発明の第８実施形態の携帯電話機を示す背面斜視図
【図１８】本発明の第９実施形態の携帯電話機を示す背面斜視図
【図１９】本発明の第１０実施形態の携帯電話機を示す斜視図
【符号の説明】
【０１０９】
１    携帯電話機
１０    本体部
１１    ハウジング
１１ａ  開口部
１２    補助表示部
１３    補助操作部
１４、１６  接続端子
２０    表示部
２１    表示パネル
２２    スピーカ
２６    ステレオスピーカ
２７    ステレオマイク
２８    カメラ
２９    照明装置
３０    操作部
３０ａ  第２カム溝
３２    マイク
３３    ロックレバー
３３ｂ  係止部
３３ｃ  解除ボタン（係止解除部）
３０ｄ  突起部
３４    付勢バネ
３５    ガイド部
３５ａ  被係止部
４１    板カム
４１ａ、４１ｂ、４１ｃ  位置決め溝
４１ｄ  第１カム溝
４１ｅ  ストッパ
４１ｆ  回転規制溝
４１ｓ、４１ｔ、４１ｕ  係止溝
５１    レバー
５１ａ  第１カム突起
５１ｂ  第２カム突起
６１    ロックレバー
６１ａ  係止爪
６１ｂ  解除ボタン（係止解除部）
７１    充電用ケーブル
７２    ヘッドホン
【図１】
2006080713.tif 000003
【図２】
2006080713.tif 000004
【図３】
2006080713.tif 000005
【図４】
2006080713.tif 000006
【図５】
2006080713.tif 000007
【図６】
2006080713.tif 000008
【図７】
2006080713.tif 000009
【図８】
2006080713.tif 000010
【図９】
2006080713.tif 000011
【図１０】
2006080713.tif 000012
【図１１】
2006080713.tif 000013
【図１２】
2006080713.tif 000014
【図１３】
2006080713.tif 000015
【図１４】
2006080713.tif 000016
【図１５】
2006080713.tif 000017
【図１６】
2006080713.tif 000018
【図１７】
2006080713.tif 000019
【図１８】
2006080713.tif 000020
【図１９】
2006080713.tif 000021